(57)【要約】      （修正有）【課題】階段におけるガスボンベ等の物品搬送が、容易に、かつ、安全に行われるような物品搬送機を提供する。【解決手段】垂直方向に配置され下部にキャスター３を備えるベース体２と、ベース体２の下部に前方に突出するように設けられ下面前部にキャスター７を備える物品載置台９と、下部がベース体２の後下部に取り付けられ上部が後方に傾斜して設けられる電動移動用ベルト体１１とを備え、ベース体２の前面に物品載置台９上に載置される棒状物品１００の把持固定部５０が設けられてなる。【選択図】図３
0003224314.tif 000002
【実用新案登録請求の範囲】
【請求項１】
垂直方向に配置され、下部にキャスターを備えるベース体と、
前記ベース体の下部に前方に突出するように設けられ、下面前部にキャスターを備える物品載置台と、
下部が前記ベース体の後下部に取り付けられ上部が後方に傾斜して設けられる電動移動用ベルト体を備え、
前記ベース体の前面に、前記物品載置台上に載置される棒状物品の把持固定部が設けられてなることを特徴とする物品搬送機。
【請求項２】
前記把持固定部が前記ベース体の前面の上下位置に複数個設けられている請求項１記載の物品搬送機。
【請求項３】
前記物品載置台が、前記棒状物品の安定設置構造を備える請求項１記載の物品搬送機。
【請求項４】
前記棒状物品がガスボンベである請求項１、２または３記載の物品搬送機。
【考案の詳細な説明】
【技術分野】
【０００１】  この考案は、ガスボンベ等の階段搬送に使用される物品搬送機に関する。
【背景技術】
【０００２】  古いビルやマンション等はエレベータを備えていない場合が多く、台車等を使用しての長尺大形で重量のあるガスボンベの階段における搬送作業は、多人数を要して手間がかかり、またその作業には危険が伴う問題があった。
【考案の概要】
【考案が解決しようとする課題】
【０００３】  この考案は、階段におけるガスボンベ等の物品搬送が容易に、かつ、安全に行われるようにすることを目的とする。
【課題を解決するための手段】
【０００４】  この考案では、垂直方向に配置され下部にキャスターを備えるベース体と、前記ベース体の下部に前方に突出するように設けられ下面前部にキャスターを備える物品載置台と、下部が前記ベース体の後下部に取り付けられ上部が後方に傾斜して設けられる電動移動用ベルト体とを備え、前記ベース体の前面に前記物品載置台上に載置される棒状物品の把持固定部が設けられてなることを特徴とする物品搬送機を提供する。【０００５】  この考案の物品搬送機によれば、ベース体の前面に設けられた把持固定部により物品載置台上に載置される棒状物品が把持固定され、電動移動用ベルト体が作動されることで物品搬送機が階段に沿って上昇移動、下降移動して棒状物品の階段搬送移動が行われる。【０００６】  把持固定部がベース体の前面の上下位置に複数個設けられる構成とされることで、棒状物品のベース体への把持固定が安定して行われる。【０００７】  物品載置台が、棒状物品の安定設置構造を備える構成とされることで、棒状物品の物品載置台上への設置が安定して行える。【０００８】  この考案の物品搬送機は、ガスボンベ等の棒状で重量のある物品の階段搬送に好適に用いられる。
【考案の効果】
【０００９】  この考案の物品搬送機を使用することで、ガスボンベ等の棒状で重量のある物品の階段搬送移動が、少人数により手間をかけることなく容易、かつ、安全に行えるようになる。
【図面の簡単な説明】
【００１０】
【図１】  この考案の物品搬送機の実施形態の斜視図
【図２】  この考案の物品搬送機の実施形態で使用する把持固定部の取付け部材の斜視図
【図３】  この考案の物品搬送機の実施形態の使用説明図
【考案の実施形態】
【００１１】  図１はこの考案の物品搬送機の斜視図である。物品搬送機１は、方形枠状で垂直方向に配置され下部の両側端にキャスター３を備えるベース体２と、ベース体２の上部に設けられるアーチ状で上部が後方に折れ曲がった階段移動用操作部５と、ベース体２の下部に前方に突出するように設けられ前部の下面両端にキャスター７を備える物品載置台９と、下部がベース体２の後下部に取り付けられ上部が後方に傾斜して設けられる一対の電動移動用ベルト体１１とを備えて構成されている。電動移動用ベルト体１１はベース体２の下部に配置される電動モータにより作動され、電動モータには隣接配置される電池より駆動電源が与えられる。
【００１２】  ベース体２の前面には、上部と下部に物品載置台９上に載置される棒状物品の把持固定部５０のそれぞれが設けられている。把持固定部５０は、図２に示す取付け部５１と受け部５３とからなる取付け部材５５と一対の面ファスナー５７とから構成される。取り付け部材５５は鉄製で取付け部５１の前面に受け部５３が一体に溶接固着され、取付け部５１の両端がベース体２の桟材にネジ固定されて取り付けられている。受け部５３は両端に開き部５９を備え、その端部に縦方向に設けられた連結孔６１に面ファスナー５７の端部が挿通固定されている。図２に示す取付け部材５５はベース体２の上部に使用されるもので、下部で使用される取付け部材５５は突出寸法Ａが上部で使用されるものより若干大きくなっている。
【００１３】  物品載置台９には、一対の側部７１と、それら側部７１の下端を連結する底部７２からなる凹み溝形状の鉄製の支持体７０が取り付けられ、前面には前倒し開閉可能にカバー７５が取り付けられている。側部７１それぞれの上縁部外面が物品載置台９の桟材に溶接固着されている。
【００１４】  以下、図３を参照して物品搬送機１のガスボンベ１００の搬送使用について説明する。ロック７７を外してカバー７５を前倒しに開き、そのカバー７５面を案内としてガスボンベ１００を立設状態で支持体７０上に移動させ、カバー７５を閉じてロックし、上下の把持固定部５０それぞれの面ファスナー５７を巻き付け固定することでガスボンベ１００を固定する。
【００１５】  その際、支持体７０の巾Ｂはガスボンベ１００の直径より若干大きくされていることで両側部７１が近接してガスボンベ１００は横ずれすることなく、また、前部近傍にはカバー７５があることで前方へのずれもない。これにより、ガスボンベ１００は支持体７０上にガタツクことなく安定設置される。くわえて、上下２か所で把持固定部５０によりガスボンベ１００を把持固定し、さらに、上部で使用される把持固定部５０の取付け部材５５が下部で使用される把持固定部５０の取付け部材５５より突出寸法Ａが若干大きくなっていることで、ガスボンベ１００は傾斜してベース体２にもたれる安定状態に固定配置される。このようにして、ガスボンベ１００は物品搬送機１に安定した状態に取り付けられる。
【００１６】  物品搬送機１の水平搬送移動は、ベース体２の後部に突設される一対の持ち手１９が使用されて行われ、適宜の方向への移動が行われる。
【００１７】  物品搬送機１の階段における搬送は、図３に示すように、階段移動用操作部５を上側として電動移動用ベルト体１１それぞれが階段Ｌの各段の角縁に沿う状態とされ、電動移動用ベルト体１１が各段の角縁に噛む状態で作動変位し、これにより物品搬送機１が階段Ｌに沿って上昇移動、下降移動して行われる。上部の作業者は階段移動用操作部５を持ち、そこにある操作スイッチ８０により電動移動用ベルト体１１を作動させる。下部の作業者はベース体２の前部に突出する一対の持ち手８２を持って物品搬送機１を安定支持する。このようにして、２名の作業者により１２０ｋｇ程度のガスボンベ１００の階段Ｌでの搬送移動がなされる。
【符号の説明】
【００１８】１      物品搬送機
２      ベース体
３      キャスター
５      階段移動用操作部
７      キャスター
９      物品載置台
１１    電動移動用ベルト体
５０    把持固定部
７０    支持体
１００  ガスボンベ（棒状物品）
【図１】
0003224314.tif 000003
【図２】
0003224314.tif 000004
【図３】
0003224314.tif 000005